(57)【要約】【課題】野外でのレジャーシーン等において、折り畳み椅子を使用する際、同時に音楽を心地よく楽しめるオーディオ装置を具有する折り畳み型椅子を提供する。【解決手段】折り畳み骨組１と該折り畳み骨組１に穿設される座面２、背凭れ３、第一，第二肘掛４，５、並びに小型スピーカ６，７、電池槽８、オーディオインターフェイス９、オーディオケーブル１０より構成し、該第一及，第二肘掛４，５の両者、或いは椅子の任意の位置に該小型スピーカ６，７を設置し、並びに両該スピーカ６，７を連結し、該第一，第二肘掛４，５上には該小型スピーカ６，７と連結される該電池槽８並びに該オーディオインターフェイス９を設ける。【選択図】        図１
0003119548.tif 000002
【実用新案登録請求の範囲】
【請求項１】
折り畳み骨組と帆布製の座面、背凭れ、第一肘掛、第二肘掛、及び小型スピーカ、電池槽、オーディオインターフェイス、オーディオケーブル等より構成されるオーディオ装置を具有する折り畳み椅子において、
該座面と背凭れと第一及び第二肘掛が該折り畳み骨組に穿設されて完全な折り畳み椅子を形成し、該第一及び第二肘掛上にそれぞれ小型スピーカを設置する、或いは椅子の任意の位置に該小型スピーカを設けることを特徴とするオーディオ装置を具有する折り畳み型椅子。
【請求項２】
該オーディオ装置を折り畳み机やリュックサックに設置されることにより、オーディオ装置を具有する折り畳み机、及びオーディオ装置を具有するリュックサックを形成することを特徴とする請求項１記載のオーディオ装置を具有する折り畳み型椅子。
【考案の詳細な説明】
【技術分野】
【０００１】
本考案はオーディオ装置を具有する折り畳み型椅子に係り、特にオーディオ装置が設けられた折り畳み椅子の構造に関わる。
【背景技術】
【０００２】
折り畳み椅子は、湖畔での釣りや海辺で日に当たる等のレジャーを始めとし、多目的に利用される携帯に便利な用品である。持ち運びに便利なよう折り畳める構造を呈しており、柔軟性を具有する帆布等の素材で座面や背凭れ、肘掛が形成されており、折り畳んだ後は筒状の布袋等に収納されて背負えるほどのサイズとなる。
【考案の開示】
【考案が解決しようとする課題】
【０００３】
上述のような折り畳み椅子はレジャーシーンで非常に活躍するが、しかし尚実用性を向上させる余地があると考える。例えば人々が郊外等にて折り畳みいすを広げ、ゆったりと新鮮な空気を吸い、大自然に抱かれると同時に、心地よい音楽を楽しもうとCDプレイヤーやMP３等を別に持参することが多々ある。しかしこういった装置は、個人で楽しめる、体積が小さい等の利点はあれど、心地よい環境に身を置いてもイヤホンを使用することでの不快な感覚は避けられず、大自然の奏でる自然の音が聞こえない、或いは同行者の声が聞こえないといった欠点も生じてしまう。
そこで野外でのレジャーシーン等において、折り畳み椅子を使用する際、同時に音楽を心地よく楽しめる本考案のオーディオ装置を具有する折り畳み型椅子を提供する。
【課題を解決するための手段】
【０００４】
折り畳み骨組と、該折り畳み骨組を穿設する座面、背凭れ、第一，第二肘掛、小型スピーカ、電池槽、オーディオインターフェイス、オーディオケーブル等より構成し、該第一，第二肘掛にそれぞれ該小型スピーカを設置する、或いは椅子の任意の個所に該小型スピーカを設置し、両該小型スピーカを連結させ、椅子に設けた該オーディオインターフェイスと該小型スピーカとの間には電池槽を設け、該電池槽に電池を設ける。該座面の前側縁は二層の構造を呈し、第一，第二肘掛支えの管と相通して空洞のルートを形成するため、該ルート中には該オーディオケーブルを設置し、更に該オーディオケーブルを該小型スピーカと連結する。
【考案の効果】
【０００５】
本考案によると、レジャーシーン等で別途でプレイヤーを用意しなくとも、携帯に便利且つ容易に心地よく音楽を楽しむことができるようになり、レジャーの質を更に高める目的が達成される。
【考案を実施するための最良の形態】
【０００６】
図１に示すように、本考案のオーディオ装置を具有する折り畳み椅子における第一実施例は、折り畳み骨組１と帆布製の座面２、背凭れ３、並びに第一肘掛４、第二肘掛５、小型スピーカ６，７、電池槽８、オーディオインターフェイス９、オーディオケーブル１０等を具有し、該座面２、該背凭れ３、並びに該第一肘掛４、該第二肘掛５が該折り畳み骨組１上を穿設して完全な折り畳み椅子が形成される。また該折り畳み骨組１は図中に示す構造には限らない。
該第一肘掛４には水平面４１と縦面４２を含み、該水平面４１の前部は該折り畳み骨組１前部の第一肘掛支え１１上に固定され、後部は該折り畳み骨組１後部の背凭れ支え１３上に穿設される。該第二肘掛５も同様に、水平面５１と縦面５２とを具有し、該水平面５１の前部が該折り畳み骨組１前部の第二肘掛支え１２上に固定され、後部においては該折り畳み骨組１後部の背凭れ支え１４上に穿設される。第一肘掛４の水平面４１の前部には小型スピーカ６を設けるが、該小型スピーカ６は該水平面４１の前部に嵌設され、上方に向かって音を発するよう設置される。該第二肘掛５の水平面５１の前部にも、同様にして小型スピーカ７を設けるが、該小型スピーカ７は該水平面５１の前部に嵌設され、上方に向かって音を発するよう設置される。
該座面２前側縁２１においては、二層の構造を呈しており、該二層の構造は第一肘掛支え１１と第二肘掛支え１２の管と相通して空洞のルートを形成し、該ルート中にはオーディオケーブル１０を設置し、該オーディオケーブル１０が該小型スピーカ６，７と連結されて完全な二つのスピーカーを構成する。
該第一肘掛４の縦面４２外側には、該小型スピーカ６に隣接する個所に電池槽８とオーディオインターフェイス９を設け、該オーディオインターフェイス９と電池槽８とを連結し、該電池槽８に電池を設け、更に該小型スピーカ６と小型スピーカ７とを連結する。該オーディオインターフェイス９は図中の形式に限らず、CDプレイヤーに直接差し込むもの、或いは直接MP３プレイヤーに繋ぐものとしてもよい。該縦面４２の外側面にはプレイヤー装入袋４２０を設置し、CDプレイヤーやMP3等を設置する個所とする。
【０００７】
図２に示すように、本考案の第二実施例として、上述の第一実施例と異なる点は、該小型スピーカ６，７の設置位置であり、肘掛の任意の位置だけでなく、椅子全体の任意の位置に設置するものとし、位置を換えることにより違ったオーディオ効果を提供する。
【０００８】
図３，４，５に示すように、本考案におけるその他の実施例では、プレイヤーを椅子ではなく、折り畳み机やリュックサックに設置することにより、それぞれオーディオ装置を備えた折り畳み机、並びにオーディオ装置を備えたリュックサックを提供する。折り畳み机で実施した場合には、主に机本体１１１とプレイヤーとより構成し、二つのスピーカーはそれぞれ机表面１１２に嵌設されるが、対角線上に設置する、もしくは直線上に設置する。リュックサックで実施した場合には、主にリュック本体１１３とプレイヤーとより構成し、二つのスピーカーはリュックの左右ショルダーストラップ１１１４上にそれぞれ設置する。
【図面の簡単な説明】
【０００９】
【図１】本考案における第一実施例の立体構造説明図である。
【図２】本考案における第二実施例の立体構造説明図である。
【図３】本考案における第三実施例であり、折り畳み机（一）の立体構造説明図である。
【図４】本考案における第四実施例であり、折り畳み机（二）の立体構造説明図である。
【図５】本考案における第五実施例であり、リュックサックの立体構造説明図である。
【符号の説明】
【００１０】
１  折り畳み骨組
２  座面
３  背凭れ
４  第一肘掛
５  第二肘掛
６  小型スピーカ
７  小型スピーカ
８  電池槽
９  オーディオインターフェイス
１０  オーディオケーブル
１１  第一肘掛支え
１２  第二肘掛支え
１３  背もたれ支え管
１４  背もたれ支え管
２１  前側縁
２２  後側縁
４１  水平面
４２  縦面
５１  水平面
５２  縦面
４２０  プレイヤー装入袋
１１１  机本体
１１２  机表面
１１３  リュック本体
１１４  ショルダーストラップ
【図１】
0003119548.tif 000003
【図２】
0003119548.tif 000004
【図３】
0003119548.tif 000005
【図４】
0003119548.tif 000006
【図５】
0003119548.tif 000007